(57)【要約】【課題】  画像データの補正に適用される補正値を出力装置の出力特性に応じて調整するときの利用者の作業負担を軽減する。【解決手段】  制御手段１２は、参照画像Ｇrefを撮像した第１画像データを表示装置２０に表示させる一方、この表示装置２０に表示された参照画像Ｇrefを撮像した第２画像データを記憶手段１３に記憶する。制御手段１２は、第１画像データと第２画像データとの相違に基づいてガンマ補正値γを特定してガンマ補正手段１４１に指示する。ガンマ補正手段１４１は、記憶手段１３に記憶された画像データを制御手段１２により指示されたガンマ補正値γに基づいて補正し、この補正後の画像データを表示装置２０に供給する。【選択図】        図２
2005301700.tif 000002
【特許請求の範囲】
【請求項１】
画像データを記憶する記憶手段と、
被写体を撮像して画像データを生成する撮像手段と、
前記記憶手段に記憶された第１の画像データを出力装置に供給する供給手段と、
前記供給手段が前記第１の画像データを前記出力装置に供給した後に前記撮像手段が生成した第２の画像データと前記第１の画像データとの相違に基づいて補正値を特定する特定手段と、
前記記憶手段に記憶された画像データを前記特定手段が特定した補正値に基づいて補正し、この補正後の画像データを前記出力装置に供給する補正手段と
を具備する画像データ補正装置。
【請求項２】
前記第１の画像データと前記第２の画像データとの相違の大小を判定する判定手段と、
前記特定手段は、前記第１の画像データと前記第２の画像データとの相違が小であると前記判定手段により判定された場合に限って前記補正値を特定する
請求項１に記載の画像データ補正装置。
【請求項３】
前記供給手段は、前記第１の画像データと、当該第１の画像データに基づいて出力装置が出力する画像のうち前記第２の画像データの生成のために撮像されるべき範囲を示す範囲指示画像の画像データとを前記出力装置に供給する
請求項１または２に記載の画像データ補正装置。
【請求項４】
前記記憶手段は、前記撮像手段によって生成された画像データを記憶する
請求項１から３の何れかに記載の画像データ補正装置。
【請求項５】
記憶手段に記憶された第１の画像データを出力装置に供給するステップと、
前記第１の画像データを前記出力装置に供給した後に前記撮像手段により被写体を撮像して第２の画像データを生成するステップと、
前記第１の画像データと前記第２の画像データとの相違に基づいて補正値を特定するステップと、
前記記憶手段に記憶された画像データを前記補正値に基づいて補正し、この補正後の画像データを前記出力装置に供給するステップと
を有する画像データ補正方法。
【請求項６】
前記補正値の特定に先立って前記第１の画像データと前記第２の画像データとの相違の大小を判定するステップを有し、
前記補正値を特定するステップにおいては、前記第１の画像データと前記第２の画像データとの相違が小であると判定された場合に限って前記補正値を特定する
請求項５に記載の画像データ補正方法。
【請求項７】
前記第１の画像データを出力装置に供給するときに、当該第１の画像データに基づいて前記出力装置が出力する画像のうち前記第２の画像データの生成のために撮像されるべき範囲を示す範囲指示画像の画像データを前記出力装置に供給する
請求項５または６に記載の画像データ補正方法。
【発明の詳細な説明】
【技術分野】
【０００１】
本発明は、画像データを補正する技術に関する。
【背景技術】
【０００２】
表示装置や印刷装置など画像を出力する装置の出力特性（例えばガンマ特性）は、その種類や機種に応じて区々である。このため、画像データが共通であったとしても、その画像データに基づいて実際に出力される画像は装置の出力特性に応じて相違する。この相違を解消するために、画像データの補正に適用される補正値が出力特性に応じて適宜に調整される構成が従来から提案されている。例えば特許文献１には、補正対象となる画像とこの画像に対して比較対象となる画像とが同時に表示され、利用者が、双方の画像を比較しながら、補正対象となる画像の補正に適用される補正値を適宜に調整する技術が開示されている。
【特許文献１】特開平７−１６２７１４号公報（段落００３０、段落００３１および図４）
【発明の開示】
【発明が解決しようとする課題】
【０００３】
しかしながら、この技術のもとでは、画像を視認しながら補正値を調整するという煩雑な作業を利用者が実行しなければならず、その負担が過大であるという問題がある。本発明は、このような事情に鑑みてなされたものであり、その目的は、画像データの補正に適用される補正値を出力装置の出力特性に応じて調整するときの利用者の作業負担を軽減することにある。
【課題を解決するための手段】
【０００４】
上述した課題を解決するために、本発明は、画像データを記憶する記憶手段と、被写体を撮像して画像データを生成する撮像手段と、記憶手段に記憶された第１の画像データを出力装置に供給する供給手段と、出力装置が第１の画像データに基づいて出力した画像を撮像することにより撮像手段が生成した第２の画像データと第１の画像データとの相違に基づいて補正値を特定する特定手段と、記憶手段に記憶された画像データを特定手段が特定した補正値に基づいて補正し、この補正後の画像データを出力装置に供給する補正手段とを具備する。この構成によれば、記憶手段に記憶された第１の画像データと、この画像データに基づいて出力された画像を撮像することにより生成された第２の画像データとの相違に基づいて補正値が特定されるから、画像を確認しながら補正値を調整するといった煩雑な作業を要することなく、出力装置に固有の出力特性に応じた補正値が特定される。
【０００５】
他の観点において、本発明は、画像データを記憶する記憶手段と、被写体を撮像して画像データを生成する撮像手段と、記憶手段に記憶された第１の画像データを出力装置に供給する供給手段と、供給手段が第１の画像データを出力装置に供給した後に撮像手段が生成した第２の画像データと第１の画像データとの相違に基づいて補正値を特定する特定手段と、記憶手段に記憶された画像データを特定手段が特定した補正値に基づいて補正し、この補正後の画像データを出力装置に供給する補正手段とを具備する。この構成によっても、記憶手段に記憶された第１の画像データと、出力装置に対する第１の画像データの供給後の撮像により生成された第２の画像データ（望ましくは、出力装置により出力された画像を撮像することによって得られた画像データ）との相違に基づいて補正値が特定されるから、画像を確認しながら補正値を調整するといった煩雑な作業を要することなく、出力装置の出力特性に応じた補正値が特定される。なお、この構成においては、出力装置により出力された画像とは何ら関係のない画像が撮像されて第２の画像データとされる場合があり得る。この場合には、出力装置の出力特性を反映した適切な補正値を特定することができない。そこで、より望ましい態様においては、第１の画像データと第２の画像データとの相違の大小を判定する判定手段が設けられたうえで、特定手段が、第１の画像データと第２の画像データとの相違が小であると判定手段により判定された場合に限って補正値を特定する。この態様によれば、第１の画像データと第２の画像データとの相違が大であると判定された場合（典型的には、出力装置に出力された画像とは何ら関係のない画像が撮像された場合）にはその相違に基づいて補正値が特定されることはないから、出力装置の出力特性を反映した適切な補正値を常に特定することができる。
【０００６】
また、第１の画像データと第２の画像データとの相違に基づいて適切な補正値が特定されるためには、出力装置によって出力される画像のうち第１の画像データとの比較の対象として適切な部分が撮像されることによって第２の画像データが生成されることが望ましい。そこで、本発明の望ましい態様において、供給手段は、第１の画像データと、当該第１の画像データに基づいて出力装置が出力する画像のうち第２の画像データの生成のために撮像されるべき範囲を示す範囲指示画像の画像データとを出力装置に供給する。この態様によれば、出力装置が出力する画像のうち撮像されるべき範囲が範囲指示画像によって指示されるから、出力装置によって出力された画像のうち適切な補正値を得るための範囲を撮像することが容易となる。
【０００７】
なお、本発明における画像データは、静止画像を表すデータであってもよいし動画像を表すデータであってもよい。また、記憶手段に記憶された画像データは、典型的には撮像手段による撮像によって生成された画像データであるが、その他の経路にて取得された画像データが記憶手段に記憶されてもよい。より望ましい態様においては、専ら補正値の特定のために用意された画像（例えば実施形態にて後述する参照画像Ｇref）を表す画像データが記憶手段に記憶され、この画像データが第１の画像データとされる。この種の画像としては、各々の階調が相違する多数の領域からなる画像が採用され得る。
【０００８】
本発明において画像データ補正装置と出力装置とが一体に構成されているか否かは不問であるが、記憶手段に記憶された画像データが常に同じ出力装置に出力されるのであれば、それほど頻繁に補正値を調整する必要はないと考えられる。これに対し、画像データ補正装置が出力装置と別体に構成されており、この画像データ補正装置が種々の出力装置に接続され得る状況のもとでは、画像データ補正装置が接続された出力装置ごとにその出力特性に応じた補正値が別個に特定されることが望ましい。この観点からすると、本発明は、画像データ補正装置が出力装置と別体に構成されている場合に特に顕著な効果を奏すると言える。この種の画像データ補正装置としては、静止画像を撮影するためのデジタルカメラや動画像を撮影するためのデジタルビデオカメラ、あるいは被写体を撮像する機能を備えた通信端末（例えばカメラ付きの携帯電話機）がある。ただし、ひとつの出力装置においても出力特性が経時的に変化することはあり得るから、画像データ補正装置と出力装置とが一体に構成されている場合にも本発明は好適に適用される。
【０００９】
本発明は、画像データを補正するための方法としても特定される。すなわち、この画像データ補正方法は、記憶手段に記憶された第１の画像データを出力装置に供給するステップと、出力装置が第１の画像データに基づいて出力した画像を撮像手段により撮像して第２の画像データを生成するステップと、第１の画像データと第２の画像データとの相違に基づいて補正値を特定するステップと、記憶手段に記憶された画像データを補正値に基づいて補正し、この補正後の画像データを出力装置に供給するステップとを有する。これとは別の観点において、本発明に係る画像データ補正方法は、記憶手段に記憶された第１の画像データを出力装置に供給するステップと、第１の画像データを出力装置に供給した後に撮像手段により被写体を撮像して第２の画像データを生成するステップと、第１の画像データと第２の画像データとの相違に基づいて補正値を特定するステップと、記憶手段に記憶された画像データを補正値に基づいて補正し、この補正後の画像データを出力装置に供給するステップとを有する。これらの方法によれば、本発明に係る画像データ補正装置と同様の理由により、画像を確認しながら補正値を調整するといった煩雑な作業を要することなく、出力装置に固有の出力特性に応じた補正値が特定される。
【発明の効果】
【００１０】
以上に説明したように、本発明によれば、画像データの補正に適用される補正値を出力装置の出力特性に応じて調整するときの利用者の作業負担を軽減することができる。
【発明を実施するための最良の形態】
【００１１】
図面を参照して本発明の実施形態の構成を説明する。
本実施形態においては、図１に示されるように携帯電話機１０（いわゆるカメラ付き携帯電話機）がケーブル３０を介して表示装置２０に接続された場合を想定する。携帯電話機１０は、被写体を撮像して画像データを生成する機能とこの画像データを記憶する機能とを備えている。一方、表示装置２０は、例えばＣＲＴ（Cathode Ray Tube）や液晶表示パネルなどの表示デバイスを備え、外部から入力された画像データに基づいて種々の画像を表示する装置である。この構成のもと、携帯電話機１０によって撮像された画像の画像データがケーブル３０を介して表示装置２０に供給され、この画像データに応じた画像が表示装置２０の表示面２１に表示される。ここで、携帯電話機１０に保持された画像データは表示装置２０の出力特性を反映したものではないから、この画像データをそのまま表示装置２０に出力することによって表示される画像の特性（特に階調特性）は携帯電話機１０によって撮像された画像の特性と相違し得る。この相違を解消するために、本実施形態に係る携帯電話機１０は、表示装置２０の出力特性に適合するように補正値を特定する機能と、この補正値に基づいて画像データを補正したうえで表示装置２０に出力する機能とを備えている。このような構成によれば、携帯電話機１０の利用者による撮像時の意図を忠実に反映した画像が表示装置２０に表示されることとなる。
【００１２】
図２は、携帯電話機１０の詳細な構成に特に着目して図１の各要素を示したブロック図である。図１および図２において同一の構成要素には共通の符号が付されている。図２に示される撮像手段１１は、被写体を撮像して画像データを生成する手段であり、入射光を集光するレンズ１１１と、撮像素子１１２と、処理回路１１３とを有する。このうち撮像素子１１２は、例えばＣＣＤ（Charge Coupled Device）であり、各々がレンズ１１１からの入射光量に応じた電気信号を出力する多数の受光素子を有する。処理回路１１３は、撮像素子１１２から出力された電気信号に基づいて画像データを生成する手段であり、例えば撮像素子１１２から出力されたアナログの信号をデジタルデータたる画像データに変換するＡ／Ｄ変換器を有する。この画像データは、表示すべき階調（あるいは輝度）を表す数値（以下「階調値」という）を画素ごとに指定するデータである。
【００１３】
制御手段１２は、ＣＰＵ（Central Processing Unit）などの演算処理装置を含んで構成され、プログラムに従って演算処理や各部の制御を実行することによって種々の機能を実現する。記憶手段１３は、プログラムや各種のデータを記憶する不揮発性メモリである。この記憶手段１３としては、データを書き換え可能に記憶するＥＥＰＲＯＭ（Electrically Erasable and Programable Read Only Memory）が採用され得る。撮像手段１１による被写体の撮像に伴なって処理回路１１３から出力された画像データは、制御手段１２によって記憶手段１３に書き込まれる。本実施形態においては、撮像手段１１によって過去に生成された複数の画像データが記憶手段１３に記憶されている場合を想定する。この記憶手段１３に記憶された画像データは、利用者による指示を契機として制御手段１２により読み出されて画像処理手段１４に出力される。
【００１４】
この画像処理手段１４は、制御手段１２から供給された画像データに対して各種の処理を施したうえで出力端子１０２に出力する手段である。さらに詳述すると、画像処理手段１４は、画像データに対してガンマ補正を施すガンマ補正手段１４１を備えている。詳細については後述するが、このガンマ補正に適用される数値（以下「ガンマ補正値」という）γは、制御手段１２がプログラムを実行することによって特定される。なお、図２においては画像データに関連する構成要素のみが図示されているが、携帯電話機１０は、これらの要素のほかにも、利用者による操作を受け付ける複数の操作子や、移動通信網の無線基地局と無線通信を行なう通信手段、音声通信のために音声を入出力する手段など通信端末としての本来の機能を備えている。
【００１５】
次に、制御手段１２により実行されるプログラムの内容を示す図３を参照しながら、本実施形態の動作を説明する。
利用者はまず、図２に「撮像［１］」と図示されているように、特定の用紙４０に予め印刷された参照画像Ｇrefを携帯電話機１０によって撮像する。すなわち、利用者は、参照画像Ｇrefが撮像の範囲内に位置するように携帯電話機１０の姿勢を維持しながら、撮像を指示する操作子を押下する。図３に示されるように、制御手段１２は、この撮像により生成された参照画像Ｇrefの画像データ（以下「第１画像データ」という）を記憶手段１３に記憶する（ステップＳ１）。ここで、参照画像Ｇrefとは、表示装置２０の出力特性に応じたガンマ補正値γを特定するために利用される画像であり、図２に示されるように、それぞれ色彩や階調が異なる複数の略矩形状の部分（以下「単位領域」という）Ａrefを隙間なく配列してなる画像である。
【００１６】
次いで、制御手段１２は、第１画像データが表す参照画像Ｇrefを表示装置２０に表示させる（ステップＳ２）。図２に「撮像［２］」と図示されているように、利用者は、このステップＳ２の結果として表示装置２０に表示された画像（以下「参照出力画像」という）を、上述した「撮像［１］」の場合と同様の手順により携帯電話機１０を用いて撮像する。図２には、参照出力画像の内容が図示されている。この図に示されるように、参照出力画像は、「撮像［１］」により撮像された参照画像Ｇrefのほか、この参照画像Ｇrefの左上部と右下部とに配置（スーパーインポーズ）されたポインタＰを含んでいる。このポインタＰは、「撮像［２］」にて撮像されるべき範囲を利用者に指示するための画像である。ポインタＰを表す画像データ（以下「指示画像データ」という）は記憶手段１３に予め記憶されている。上述したステップＳ２において、制御手段１２は、第１画像データのほか指示画像データを記憶手段１３から読み出して画像処理手段１４に出力する。この第１画像データおよび指示画像データは、画像処理手段１４から出力端子１０２およびケーブル３０を介して表示装置２０に供給される。このとき、画像処理手段１４のガンマ補正手段１４１によるガンマ補正は第１画像データおよび指示画像データの何れにも施されない。以上の結果として、図２に示されるように参照画像ＧrefとポインタＰとを含む参照出力画像が表示装置２０の表示面２１に表示されるのである。「撮像［２］」について上述したように、利用者は、このポインタＰによって示される範囲（すなわち表示装置２０に表示された参照画像Ｇref）が撮像範囲に含まれるように携帯電話機１０の姿勢を維持しながら当該参照画像Ｇrefを撮像する。一方、制御手段１２は、この「撮像［２］」に伴なって撮像手段１１により生成された画像データ（以下「第２画像データ」という）を記憶手段１３に記憶する（ステップＳ３）。
【００１７】
本実施形態においては、「撮像［１］」にて撮像された第１画像データが表す参照画像Ｇrefと「撮像［２］」にて撮像された第２画像データが表す参照画像Ｇrefとの相違に基づいてガンマ補正値γが特定されるようになっている（後述するステップＳ６）。しかしながら、「撮像［２］」にて実際に出力画像が撮像されるか否かは利用者の行為に委ねられているため、参照画像Ｇrefを含む参照出力画像が「撮像［２］」にて撮像されることは必ずしも保証されていない。例えば利用者が、「撮像［２］」のタイミングで表示装置２０の表示面２１以外の箇所を撮像する場合もあり得る。このような場合、第１画像データが表す参照画像Ｇrefと第２画像データが表す画像との相違は表示装置２０の出力特性とは何ら相関しないことになるから、この出力特性を反映した適正なガンマ補正値γを算定することはできない。このような不都合を解消するために、制御手段１２は、記憶手段１３に記憶された第１画像データが表す参照画像Ｇrefと「撮像［２］」にて撮像された第２画像データが表す画像とを比較したうえで（ステップＳ４）両画像の相違の大小を判定することにより（ステップＳ５）、「撮像［２］」において実際に参照画像Ｇrefが撮像されたか否かを判定するようになっている。すなわち、第１画像データと第２画像データの相違が大である（例えば相違の程度を表す数値が所定のしきい値を超える）場合には、「撮像［２］」にて参照画像Ｇrefが撮像されていない可能性が高い。このため、制御手段１２は、ステップＳ３に移行させたうえで利用者による再度の撮像（撮像［２］）を待機する。これに対し、第１画像データと第２画像データとの相違が小である（例えば相違の程度を表す数値が所定のしきい値を下回る）場合には「撮像［２］」にて実際に参照画像Ｇrefが撮像された可能性が高い。この場合、制御手段１２は、ステップＳ６に処理を移行してガンマ補正値γの算定を実行する。このように本実施形態においては、表示装置２０に表示された参照画像Ｇrefが実際に撮像された場合に限ってガンマ補正値γが特定されるようになっている。
【００１８】
なお、第１画像データと第２画像データとの相違の大小を判定する方法は任意である。例えば、第１画像データの画像を構成する画素のうち階調が共通する（あるいは近似する）画素の個数を各階調ごとにカウントしたヒストグラムを作成するとともに第２画像データについても同様のヒストグラムを作成し、双方のヒストグラムを比較することによって第１画像データと第２画像データとの相違の大小を判定する構成が採用され得る。あるいは、第１画像データの参照画像Ｇrefにおいて階調が近似する領域（すなわち各単位領域Ａref）の個数（図２の参照画像Ｇrefでは「１０」）を算定するとともに第２画像データについても同様の領域の個数を算定し、双方の算定値の差分がしきい値を超えるか否かに応じて第１画像データと第２画像データとの相違の大小を判定する構成としてもよい。
【００１９】
さて、以上のようにして第２画像データを取得すると、制御手段１２は、第１画像データが表す参照画像Ｇrefと第２画像データが表す参照画像Ｇrefとの相違に基づいてガンマ補正値γを特定し、この特定したガンマ補正値γを画像処理手段１４のガンマ補正手段１４１に指示する（ステップＳ６）。このガンマ補正値γは、記憶手段１３に記憶された画像データに当該ガンマ補正値γを適用したガンマ補正を施したうえで表示装置２０に表示させたときに、被写体の撮像から表示装置２０による表示に至るまでの全体にわたるトータルガンマが所望の数値（例えば「１」）となるように特定される。ステップＳ６においてガンマ補正値γを特定する方法は任意である。例えば、第１画像データが表す参照画像Ｇrefのうち特定の階調の単位領域Ａrefを構成する画素の階調値の平均値を「Ｉ」とし、第２画像データが表す参照画像Ｇrefのうち当該階調の単位領域Ａrefを構成する画素の階調値の平均値を「Ｊ」とすれば、ガンマ補正値γは以下の数式（１）より算定される。
γ＝logＩ／logＪ    ……（１）
なお、第１画像データが表す参照画像Ｇrefの単位領域Ａrefごとに平均階調値Ｉを算定するとともに第２画像データが表す参照画像Ｇrefの単位領域Ａrefごとに平均階調値Ｊを算定し、双方の画像において階調値が共通する（あるいは近似する）単位領域Ａrefごとに上式（１）によってガンマ補正値γを算定する一方、これらのガンマ補正値γの平均値を算定してガンマ補正手段１４１に出力する構成としてもよい。
【００２０】
一方、利用者は、携帯電話機１０の操作子を適宜に操作することにより、過去に撮像されて画像データが記憶手段１３に記憶された画像のうち表示装置２０に表示させるべき画像を指定する。この操作を検知すると、制御手段１２は、利用者により指定された画像データを記憶手段１３から読み出して画像処理手段１４に出力する（ステップＳ７）。画像処理手段１４は、この画像データに対して画像のホワイトバランスやコントラストを調整する処理を施すとともにガンマ補正手段１４１によるガンマ補正を実行し、これらの処理を経た画像データを出力端子１０２からケーブル３０を介して表示装置２０に供給する。この結果、ガンマ補正を含む画像処理が施された画像が表示装置２０の表示面２１に表示される。
【００２１】
ここで、ガンマ補正手段１４１によるガンマ補正の内容について説明する。ガンマ補正手段１４１は、ステップＳ６にて制御手段１２から指示されたガンマ補正値γに基づいて、以下の数式（２）にて表現される補正を画像データが表す各画素の階調値に対して施す。
Ｇout＝Ｇin＾（１／γ）    ……（２）
なお、上式（２）における「Ｇout」はガンマ補正後の画像データが表す階調値であり、「Ｇin」はガンマ補正手段１４１に入力された画像データが表す階調値である。また、「＾」はべき乗を表す演算子である。さらに詳述すると、例えば画像データの表す階調値が「０」から「２５５」までの２５６段階の数値をとり得るものとすれば、ガンマ補正により得られる画素値Ｇoutは以下の式（２ａ）により表される。
Ｇout＝２５５×（Ｇin／２５５）＾（１／γ）    ……（２ａ）
【００２２】
一方、表示装置２０の出力特性（ガンマ特性）は以下の数式（３）により表現される。
Ｄisp＝Ｇout＾γ    ……（３）
上式（３）における「Ｄisp」は表示装置２０の表示面２１に実際に表示される階調値である。上式（２）の階調値Ｇoutを上式（３）に代入すればＤisp＝Ｇinとなる。すなわち、表示装置２０に固有の出力特性（ガンマ特性）がガンマ補正によってキャンセルされることにより、画像を撮像したときの階調が忠実に表示装置２０に表示されることとなる。
【００２３】
以上に説明したように、本実施形態によれば、用紙４０に印刷された参照画像Ｇrefを撮像した第１画像データと表示装置２０による出力画像を撮像した第２画像データとの相違に基づいてガンマ補正値が特定されるから、画像を確認しながら補正値を調整するといった煩雑な作業を要することなく、撮像時の画像の階調特性を表示装置２０による表示画像にて忠実に再現することができる。しかも、本実施形態においては、第１画像データに基づいて表示装置２０に表示される参照画像Ｇrefに範囲指定画像が併せて表示されるから、利用者は、この範囲指定画像を指標として「撮像［２］」を実行することができる。したがって、適正なガンマ補正値γを得るための第２画像データ（すなわち参照画像Ｇrefを表す画像データ）が生成される可能性が高められる。また、第１画像データと第２画像データとの相違の大小に基づいてガンマ補正値γの算定の可否が判定されるから、仮に「撮像［２］」において参照画像Ｇrefが撮像されなかったとしても、不適正なガンマ補正値γに基づいてガンマ補正が実行されることは回避される。
【００２４】
上記実施形態に対しては種々の変形が加えられ得る。具体的な変形の態様を例示すれば以下の通りである。なお、以下の各変形例を適宜に組み合わせてもよい。
【００２５】
（１）ガンマ補正値γを算定する方法やこのガンマ補正値γにより画像データを補正する方法は任意である。例えば、画像データが赤色、緑色および青色といった複数の色の各々の階調値を画素ごとに示すデータである場合、制御手段１２が、各色に対応するガンマ補正値γ_r、γ_gおよびγ_bを別個に算定して各々をガンマ補正手段１４１に指示する構成も採用され得る。この構成のもとでは、画像データのうち赤色、緑色および青色の階調値に対してガンマ補正手段１４１が施す補正の内容は、上式（２ａ）に代えて、それぞれ以下の数式（２ｒ）、（２ｇ）および（２ｂ）によって表現されることとなる。
Ｇout_r＝２５５×（Ｇin_r／２５５）＾（１／γ_r）    ……（２ｒ）
Ｇout_g＝２５５×（Ｇin_g／２５５）＾（１／γ_g）    ……（２ｇ）
Ｇout_b＝２５５×（Ｇin_b／２５５）＾（１／γ_b）    ……（２ｂ）
なお、上式（２ｒ）における「Ｇout_r」はガンマ補正後の赤色に対応する階調値であり、「Ｇin_r」はガンマ補正手段１４１に入力された画像データが示す赤色の階調値である。同様に、式（２ｇ）および（２ｂ）における「Ｇout_g」および「Ｇout_b」はそれぞれガンマ補正後の緑色および青色に対応する階調値であり、「Ｇin_g」および「Ｇin_b」はそれぞれガンマ補正前の緑色および青色に対応する階調値である。このように各色ごとにガンマ補正値を算定してガンマ補正を実行すれば、上式（２ａ）を採用した構成と比較して、撮像時の画像の階調特性と表示装置２０による表示画像の階調特性とをさらに精度よく一致させることができる。
【００２６】
（２）上記実施形態においては撮像機能を備えた携帯電話機１０を例示したが、被写体を撮像するための機器はこれに限られない。例えば、静止画像を撮影するためのデジタルカメラや動画像を撮影するためのデジタルビデオカメラも採用され得る。また、上記実施形態においては携帯電話機１０と表示装置２０とがケーブル３０を介して接続された構成を例示したが、携帯電話機１０と表示装置２０とが画像データを授受する方法の如何は不問である。例えば、携帯電話機１０と表示装置２０とが赤外線通信などの無線通信により画像データを授受する構成としてもよい。さらに、第１画像データによって表される参照画像Ｇrefの態様が図２に示した内容に限られないことはもちろんである。すなわち、参照画像Ｇrefは幾何学的な図形である必要はなく、例えば自然画など各種の画像が参照画像Ｇrefとされ得る。
【００２７】
（３）上記実施形態においては参照画像Ｇrefを撮像して得られた第１画像データに基づいてガンマ補正値を算定する構成を例示したが、この第１画像データは、予め記憶手段１３に記憶されているものであってもよいし、あるいは他の通信装置からネットワークを介して受信したものであってもよい。ただし、表示装置２０への出力の対象となる第１画像データが撮像手段１１によって撮像されたものでない場合には、この第１画像データが撮像手段１１の特性（例えば撮像素子１１２への入射光量と画像データの階調値との関係を示すガンマ特性など）を反映したものであることが望ましい。撮像手段１１の特性を反映していない第１画像データと当該第１画像データに基づく表示画像を撮像した第２画像データとの相違に基づいてガンマ補正値を算定してガンマ補正に適用したとしても、撮像手段１１によって撮像された画像の階調特性とこれを表示装置２０により表示した画像の階調特性とを必ずしも一致させることができないからである。もっとも、予め記憶手段１３に記憶された画像データやネットワークを介して受信した画像データが撮像手段１１の特性を反映していない場合であっても、撮像手段１１の特性を示すデータ（以下「特性データ」という）を別個に取得し、これらの画像データを特性データに基づいて補正することによって第１画像データ（すなわち撮像手段１１の特性を反映させた画像データ）を生成する構成を採用すれば、表示装置２０により表示された画像の階調特性を撮像手段１１により撮像された画像の階調特性と適合するように補正することができる。
【００２８】
（４）上記実施形態においては参照画像Ｇrefの左上と右下にポインタＰが表示される構成を例示したが、表示装置２０による表示画像のうち撮像すべき範囲を利用者に指示するための画像（範囲指示画像）の態様は任意である。例えば、参照画像Ｇrefを包囲するような枠状の画像を範囲指示画像として表示装置２０に表示してもよい。このように、本発明における「範囲指示画像」は、表示装置２０が表示する画像（参照画像Ｇref）のうち撮像されるべき範囲を利用者に指示するための画像であれば足り、その態様の如何は不問である。
【００２９】
（５）上記実施形態においては画像データに基づく画像を表示装置２０に表示する構成に本発明を適用した場合を例示したが、画像データに基づく画像を印刷装置によって用紙に印刷する場合にも本発明が適用され得る。この場合、制御手段１２は、「撮像［１］」によって得られた第１画像データを印刷装置に出力して用紙に印刷させる一方、この用紙の参照画像Ｇrefを「撮像［２］」にて撮像手段１１により撮像することにより生成された第２画像データを取得し、この第２画像データと先に取得した第１画像データとの相違に基づいてガンマ補正値γを特定することとなる。この構成によれば、画像を確認しながら補正値を調整するといった煩雑な作業を要することなく、撮像時の画像の階調特性を印刷装置により印刷された画像にて忠実に再現することができる。このように、本発明における出力装置は、可視的な画像を利用者に認識され得るように出力する装置であれば足りる。
【図面の簡単な説明】
【００３０】
【図１】本発明の実施形態における携帯電話機と表示装置との関係を示すブロック図である。
【図２】同実施形態における携帯電話機の構成を示すブロック図である。
【図３】同携帯電話機における制御手段の動作を説明するためのフローチャートである。
【符号の説明】
【００３１】
１０……携帯電話機（画像データ補正装置）、１０２……出力端子、１１……撮像手段、１２……制御手段（供給手段、特定手段、判定手段）、１３……記憶手段、１４……画像処理手段、１４１……ガンマ補正手段（補正手段）、２０……表示装置、２１……表示面、３０……ケーブル、４０……用紙、Ｇref……参照画像、Ａref……単位領域、Ｐ……ポインタ（範囲指示画像）。
【図１】
2005301700.tif 000003
【図２】
2005301700.tif 000004
【図３】
2005301700.tif 000005